(57)【要約】      （修正有）【課題】撮影を希望するユーザと、エリアオーナとを効率的にマッチングさせる仕組みを提供する。【解決手段】所定のエリアの撮影を希望するユーザとエリアオーナとをマッチングするサービスを提供するサーバであって、複数のエリアに関するエリア関連情報及び複数のエリアの各々に関連付けられたエリアオーナ情報を記憶する記憶部と、ユーザ端末から、複数のエリアのうち一のエリアの選択を含む、ユーザの撮影要求を受信し、選択されたエリアに関連付けられたエリアオーナのエリアオーナ端末に、撮影要求を送信し、エリアオーナ端末から撮影要求に対する許否情報を受信する制御部を有する。制御部は、ユーザの選択に応じて、ユーザ端末から、ユーザによってエリアにおいて撮影されたコンテンツを受信し、コンテンツをエリアオーナに提供するかまたは撮影要求に付随した撮影権を付与するための購入処理のいずれかを実行する。【選択図】図１２
2020038609.tif 000002
【特許請求の範囲】
【請求項１】
所定のエリアの撮影を希望するユーザとエリアオーナとをマッチングするサービスを提供するサーバであって、
複数のエリアに関するエリア関連情報及び当該複数のエリアの各々に関連付けられたエリアオーナ情報を記憶する記憶部と、
ユーザ端末から、前記複数のエリアのうち一のエリアの選択を含む、ユーザの撮影要求を受信し、
当該選択されたエリアに関連付けられたエリアオーナのエリアオーナ端末に、当該撮影要求を送信し、当該エリアオーナ端末から当該撮影要求に対する許否情報を受信する制御部と、を有し、
前記制御部は、前記ユーザの選択に応じて、前記ユーザ端末から、前記ユーザによって前記エリアにおいて撮影されたコンテンツを受信し、当該コンテンツを前記エリアオーナに提供する、または、前記撮影要求に付随した撮影権を付与するための購入処理を実行する、のいずれかを実行する、サーバ。
【請求項２】
前記制御部は、前記エリアオーナ端末に、前記撮影要求と共に、前記ユーザに関連するユーザ情報を送信する、請求項１に記載のサーバ。
【請求項３】
前記エリア関連情報は、前記エリアの撮影地点に関連する情報を含む、請求項１に記載のサーバ。
【請求項４】
前記ユーザが、前記撮影要求に付随した撮影権を前記ユーザに対して無償で付与するプランを選択した場合に、前記コンテンツを前記エリアオーナに提供することを特徴とする、請求項１に記載のサーバ。
【請求項５】
前記ユーザが、前記撮影要求に付随した撮影権を前記ユーザに対して優勝で提供するプランを選択した場合に、前記撮影要求に付随した撮影権を付与するための購入処理を実行することを特徴とする、請求項１に記載のサーバ。
【発明の詳細な説明】
【技術分野】
【０００１】
本発明は、所定のエリアの撮影を希望するユーザとエリアオーナとをマッチングするサービスを提供するサーバに関する。より具体的には、所定の空域からの空撮を希望するユーザと、その空域の権利を有する地権者や自治体と間で、調整を図ることが可能なアプリケーションを提供するサーバに関する。
【背景技術】
【０００２】
昨今、シェアリングエコノミーの普及とともに、自己の所有する財産を有効活用するために、空き時間に時間貸する等の形態で、財産を他人に共有するサービスが多く見受けられる。
【０００３】
例えば、駐車場提供者、駐車空き情報、駐車位置情報等を管理し、利用者から利用予約希望を受け付け、同一又は複数の駐車場の複数時間帯にて利用予約を実行することを可能とする技術が開示されている（例えば、特許文献１）。
【０００４】
また、無人航空機（例えば、ドローン）を飛行させて、無人航空機に搭載したカメラから空撮を楽しむユーザが増えており、サービス化もされている。ここで、無人航空機を飛行させるに際して、地権者や自治体（以下、「エリアオーナ」という）が所有する土地の上空を利用する場合も想定される。
【先行技術文献】
【特許文献】
【０００５】
【特許文献１】特開２０１８−８４９０６号公報
【発明の概要】
【発明が解決しようとする課題】
【０００６】
しかしながら、無人航空機の飛行のルールを定める各種規制や、エリアオーナが定める飛行禁止エリアとの関係で、ユーザは、無人航空機を飛行させることが可能な空域を把握することが難しい、という課題がある。
【０００７】
一方で、エリアオーナとしても、自身が所有する土地や地域を活性化するためにＰＲをしたい場合において、例えば、ドローンによる空撮を利用したコンテンツを作成したい場合に、ドローン経験者を見つけることが難しい、という課題もある。
【０００８】
そこで、本発明は、撮影を希望するユーザと、エリアオーナとを効率的にマッチングさせる仕組みを提供することを目的とする。
【課題を解決するための手段】
【０００９】
本発明の一の実施形態は、所定のエリアの撮影を希望するユーザとエリアオーナとをマッチングするサービスを提供するサーバであって、複数のエリアに関するエリア関連情報及び当該複数のエリアの各々に関連付けられたエリアオーナ情報を記憶する記憶部と、ユーザ端末から、前記複数のエリアのうち一のエリアの選択を含む、ユーザの撮影要求を受信し、当該選択されたエリアに関連付けられたエリアオーナのエリアオーナ端末に、当該撮影要求を送信し、当該エリアオーナ端末から当該撮影要求に対する許否情報を受信する制御部と、を有し、前記制御部は、前記ユーザの選択に応じて、前記ユーザ端末から、前記ユーザによって前記エリアにおいて撮影されたコンテンツを受信し、当該コンテンツを前記エリアオーナに提供する、または、前記撮影要求に付随した撮影権を付与するための購入処理を実行する、のいずれかを実行する。
【発明の効果】
【００１０】
本発明によれば、撮影を希望するユーザと、エリアオーナとを効率的にマッチングさせる仕組みを提供することができる。
【図面の簡単な説明】
【００１１】
【図１】本発明による第１の実施の形態によるシステムの構成図である。
【図２】本発明による第１の実施の形態によるサービス提供サーバの機能ブロック図である。
【図３】本発明による第１の実施の形態によるサービス提供サーバの制御部の詳細を示した機能ブロック図である。
【図４】本発明による第１の実施の形態によるサービス提供サーバのストレージの詳細を示した機能ブロック図である。
【図５】本発明による第１の実施の形態によるエリア関連情報テーブルの例である。
【図６】本発明による第１の実施の形態によるユーザ情報管理テーブルの例である。
【図７】本発明による第１の実施の形態による撮影管理テーブルの例である。
【図８】本発明による第１の実施の形態によるコンテンツ管理テーブルの例である。
【図９】本発明による第１の実施の形態によるユーザとエリアオーナのマッチング処理の例を示したフローチャートである。
【図１０】本発明による第１の実施の形態によるユーザ端末のユーザインターフェースの例を示した図である。
【図１１】本発明による第１の実施の形態によるユーザ端末のユーザインターフェースの例を示した図である。
【図１２】本発明による第２の実施の形態によるチケット購入処理の例を示したフローチャート図である。
【図１３】本発明による第３の実施の形態によるコンテンツアクセス付与処理の例を示したフローチャート図である。
【図１４】本発明による第４の実施の形態による撮影に際する確認処理の例を示したフローチャート図である。
【発明を実施するための形態】
【００１２】
本発明の実施形態の内容を列記して説明する。本発明の実施の形態によるサービス提供サーバは、以下のような構成を備える。
［項目１］
所定のエリアの撮影を希望するユーザとエリアオーナとをマッチングするサービスを提供するサーバであって、
複数のエリアに関するエリア関連情報及び当該複数のエリアの各々に関連付けられたエリアオーナ情報を記憶する記憶部と、
ユーザ端末から、前記複数のエリアのうち一のエリアの選択を含む、ユーザの撮影要求を受信し、
当該選択されたエリアに関連付けられたエリアオーナのエリアオーナ端末に、当該撮影要求を送信し、当該エリアオーナ端末から当該撮影要求に対する許否情報を受信する制御部と、を有し、
前記制御部は、前記ユーザの選択に応じて、前記ユーザ端末から、前記ユーザによって前記エリアにおいて撮影されたコンテンツを受信し、当該コンテンツを前記エリアオーナに提供する、または、前記撮影要求に付随した撮影権を付与するための購入処理を実行する、のいずれかを実行する、サーバ。
［項目２］
前記制御部は、前記エリアオーナ端末に、前記撮影要求と共に、前記ユーザに関連するユーザ情報を送信する、項目１に記載のサーバ。
［項目３］
前記エリア関連情報は、前記エリアの撮影地点に関連する情報を含む、項目１に記載のサーバ。
［項目４］
前記ユーザが、前記撮影要求に付随した撮影権を前記ユーザに対して無償で付与するプランを選択した場合に、前記コンテンツを前記エリアオーナに提供することを特徴とする、項目１に記載のサーバ。
［項目５］
前記ユーザが、前記撮影要求に付随した撮影権を前記ユーザに対して優勝で提供するプランを選択した場合に、前記撮影要求に付随した撮影権を付与するための購入処理を実行することを特徴とする、項目１に記載のサーバ。
【００１３】
（第１の実施の形態）
以下、本発明の第１の実施の形態によるサービス提供システムについて、図面を参照しながら説明する。図１は、本発明による第１の実施の形態によるサービス提供システムの構成図である。  
【００１４】
図１に示すように、サービス提供システムは、サービス提供サーバ１と、サービス提供サーバ１に、インターネット等のネットワークを介して接続される、エリアオーナ端末２とユーザ端末３とを含む。ここで、エリアオーナ端末２は、土地等の地権を有する地権者や自治体である、エリアオーナにより所有または操作される端末をさし、ユーザ端末３は、無人航空機を操縦し、無人航空機に搭載されたカメラにより空撮を行うユーザによって所有または操作される端末をさす。図１には、１つのエリアオーナ端末２及びユーザ端末３が図示されているが、複数のエリアオーナ端末及びユーザ端末がネットワークに接続可能である。
【００１５】
サービス提供サーバ１は、ユーザとエリアオーナとをマッチングさせるサービスを、アプリケーションを介してエリアオーナ端末２及びユーザ端末３に対して提供することができる。例えば、エリアオーナ端末２及びユーザ端末３は、各々の端末に内蔵されたブラウザによって、サービス提供サーバ１で実行されるウェブアプリケーションにアクセスすることで、または、アプリケーションをサービス提供サーバ１または別のサーバからダウンロードし、このアプリケーションを実行し、サービス提供サーバ１にアクセスすることで、サービス提供サーバ１と情報を送受信することができ、これにより、サービスを受けることが可能となる。以下、「アプリケーション」とは、上記ウェブアプリケーションの場合、及び、端末にダウンロードまたはプリインストールされるアプリケーションの場合のいずれかを含むものとする。
【００１６】
例えば、エリアオーナ端末１は、アプリケーションを介して、エリア関連情報、例えば、エリアオーナが所有する土地に関連する画像データ、土地を特定する情報（例えば、住所、位置情報）、その他詳細情報、撮影者に対する推薦情報（例えば、絶景スポット）、エリアにおける禁止事項に関する情報等を、サービス提供サーバ１に送信し、サービス提供サーバ１は、受信した情報を、アプリケーションを介してユーザ端末３に対して送信する。ユーザ端末３は、アプリケーションを介して検索またはブラウジング等の方法により、候補となるエリアの一覧の中から撮影を希望するエリアと希望日時を選択し、撮影要求をサービス提供サーバ１に対して送信する。サービス提供サーバ１は、撮影要求を、ユーザ情報、例えば、ユーザを識別する情報（例えば、ユーザ名、ユーザの連絡先）、ドローンによる空撮の場合は、ドローンの端末情報（例えば、機種）、保険加入の有無、空撮履歴（例えば、空撮ポイントや画像等）を、エリアオーナ端末２に対して送信する。エリアオーナ端末２は、撮影要求に対して、ユーザ情報を参照しながら、撮影を許可するか、あるいは、不許可とするか、回答する。エリアオーナ端末２は、サービス提供サーバ１に回答を送信し、サービス提供サーバ１は、この回答に基づき、許可または不許可の旨をユーザ端末１に送信することで、撮影のマッチングが成立する。
【００１７】
エリアオーナ端末２及びユーザ端末３として、例えばワークステーションやパーソナルコンピュータのような汎用コンピュータとしてもよいし、或いはスマートフォン、タブレット、携帯端末、その他情報端末等であってもよい。
【００１８】
図２は、本発明による第１の実施の形態によるサービス提供サーバ１の機能ブロック図である。なお、図示された構成は一例であり、これ以外の構成を有していてもよい。
【００１９】
図示されるように、サービス提供サーバ１は、データベース（図示せず）と接続されシステムの一部を構成する。サービス提供サーバ１は、例えばワークステーションやパーソナルコンピュータのような汎用コンピュータとしてもよいし、或いはクラウド・コンピューティングによって論理的に実現されてもよい。
【００２０】
サービス提供サーバ１は、少なくとも、制御部１０、メモリ１１、ストレージ１２、送受信部１３、入出力部１４等を備え、これらはバス１５を通じて相互に電気的に接続される。
【００２１】
制御部１０は、サービス提供サーバ１全体の動作を制御し、各要素間におけるデータの送受信の制御、及びアプリケーションの実行及び認証処理に必要な情報処理等を行う演算装置である。例えば制御部１０はＣＰＵ（Ｃｅｎｔｒａｌ  Ｐｒｏｃｅｓｓｉｎｇ  Ｕｎｉｔ）であり、ストレージ１２に格納されメモリ１１に展開されたプログラム等を実行して各情報処理を実施する。
【００２２】
メモリ１１は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶と、フラッシュメモリやＨＤＤ（Ｈａｒｄ  Ｄｉｓｃ  Ｄｒｉｖｅ）等の不揮発性記憶装置で構成される補助記憶と、を含む。メモリ１１は、プロセッサ１０のワークエリア等として使用され、また、サービス提供サーバ１の起動時に実行されるＢＩＯＳ（Ｂａｓｉｃ  Ｉｎｐｕｔ／Ｏｕｔｐｕｔ  Ｓｙｓｔｅｍ）、及び各種設定情報等を格納する。
【００２３】
ストレージ１２は、アプリケーション・プログラム等の各種プログラムを格納する。各処理に用いられるデータを格納したデータベース（図示せず）がストレージ１２に構築されていてもよい。
【００２４】
送受信部１３は、サービス提供サーバ１をネットワークに接続する。なお、送受信部１３は、Ｂｌｕｅｔｏｏｔｈ（登録商標）及びＢＬＥ（Ｂｌｕｅｔｏｏｔｈ  Ｌｏｗ  Ｅｎｅｒｇｙ）の近距離通信インターフェースを備えていてもよい。
【００２５】
入出力部１４は、キーボード・マウス類等の情報入力機器、及びディスプレイ等の出力機器である。また、入力機器として、二次元バーコード、ＱＲコード、ＩＣタグ等のリーダを備えることもできる。
【００２６】
バス１５は、上記各要素に共通に接続され、例えば、アドレス信号、データ信号及び各種制御信号を伝達する。
【００２７】
図３は、本発明による第１の実施の形態によるサービス提供サーバの制御部１０の詳細を示した機能ブロック図である。上述の通り、制御部１０において、本実施の形態に係るサービスに関するアプリケーション・プログラムの実行がされ、この実行されるプログラムのモジュールは、図示のとおり、いくつかの機能ブロックに分けられる。また、サービス提供サーバの本制御部で実行される機能ブロックの全部又は一部は、その性質に応じてエリアオーナ端末またはユーザ端末の制御部によって実行することも可能である。
【００２８】
まず、エリア関連情報管理部２１は、エリアオーナ端末２から、本実施の形態に係るサービスに関するアプリケーション（以下、本アプリケーション）を介して受信されたエリア関連情報、例えば、エリアオーナが所有する土地に関連する画像データ、土地を特定する情報（例えば、住所、位置情報）、その他詳細情報、撮影者に対する推薦情報（例えば、絶景スポット）、エリアにおける禁止事項に関する情報等を管理する。
【００２９】
次に、ユーザ情報管理部２２は、ユーザ端末３から、本アプリケーションを介して受信されたユーザ情報、例えば、ユーザを識別する情報（例えば、ユーザ名、ユーザの連絡先）、ドローンによる空撮の場合は、ドローンの端末情報（例えば、機種、機体シリアルナンバー）、保険加入の有無、空撮履歴（例えば、空撮ポイントや画像等）等を管理する。
【００３０】
撮影管理部２３は、エリアオーナから受信されたエリア関連情報に含まれる各エリア別の撮影予約を管理する。
【００３１】
コンテンツ管理部２４は、ユーザ端末３によって撮影され、送信された動画や画像（以下、統合的に、画像データという）を管理し、また、画像を閲覧、記憶等するためのアクセス権限を管理する。また、画像データを第三者が提供するサービス（例えば、ＹｏｕＴｕｂｅ（登録商標）やＶｉｍｅｏ（登録商標））にアップロードする場合は、リンク先に関する情報についても管理する。
【００３２】
その他、制御部１０は、エリアオーナ端末２またはユーザ端末３のディスプレイに表示される画面を構成するデータを生成する、表示制御部２６を有する。
【００３３】
図４は、本発明による第１の実施の形態によるサービス提供サーバのストレージ１２の詳細を示した機能ブロック図である。ストレージ１２は、上述のエリア関連情報をエリア関連情報管理テーブル３１として格納する領域を有する。また、ストレージ１２は、上述のユーザ情報をユーザ情報管理テーブル３２として格納する領域を有する。また、ストレージ１２は、各エリア別の撮影予約に関する情報を撮影管理テーブル３２として格納する領域を有する。さらに、ストレージ１２は、ユーザ端末３から送信された画像データ及びそのアクセス権限に関する情報をコンテンツ管理テーブル３４として格納する領域を有する。また、ストレージ１２は、上述の画像データを格納するコンテンツ記憶部３５を有する。これらのテーブル及び画像データの全部又は一部は、ストレージ１２に格納する代わりに、サービス提供サーバ１の内外の任意の記憶領域に格納することができる。また、画像データを第三者の動画配信サービス（例えば、ＹｏｕＴｕｂｅ（登録商標）やＶｉｍｅｏ（登録商標））にアップロードすることで、外部の所定の記憶領域に格納することもできる。
【００３４】
以下、ストレージ１２に格納される各テーブルの詳細について説明する。図５は、本発明による第１の実施の形態によるエリア関連情報テーブルの例である。
【００３５】
エリア関連情報テーブル５００は、上述の通り、エリアオーナ端末２から、本実施の形態に係るサービスに関する、本アプリケーションを介して受信されたエリア関連情報、例えば、エリアオーナが所有する土地に関連する画像データ、土地を特定する情報（例えば、住所、位置情報）、その他詳細情報、撮影者に対する推薦情報（いわゆる、絶景スポット）等を格納する。より具体的には、例えば、エリアオーナの名前（例えば、氏名、ニックネーム等）、エリアオーナＩＤ（例えば、エリアオーナを一意に識別する番号等）、エリアオーナの連絡先（例えば、メールアドレス、電話番号、住所等）、エリアオーナが所有する土地の位置情報（例えば、住所、経緯度等）、また、エリアオーナが推薦する撮影場所（いわゆる、絶景スポット）に関する位置情報（例えば、住所、経緯度等）、その他撮影場所に関する付加情報（例えば、説明や画像データ等）、エリアにおける禁止事項、エリアにおける緊急連絡先の項目等を情報として格納することができる。
【００３６】
図６は、本発明による第１の実施の形態によるユーザ情報管理テーブルの例である。ユーザ情報管理テーブル６００は、上述の通り、ユーザ端末３から、本アプリケーションを介して受信されたユーザ情報、例えば、ユーザを識別する情報（例えば、ユーザ名、ユーザの連絡先）、ドローンによる空撮の場合は、ドローンの端末情報（例えば、機種、機体シリアルナンバー）、保険加入の有無、空撮履歴（例えば、空撮ポイントや画像等）等を格納する。より具体的には、例えば、ユーザの名前（例えば、氏名、ニックネーム等）、ユーザＩＤ（ユーザを一意に識別する番号等）、ユーザの連絡先（例えば、メールアドレス、電話番号、住所等）（図示せず）、ユーザが所有するドローン端末情報（例えば、メーカ名、機種名等）、ユーザの対人、対物保障保険への加入の有無及び保険名、ユーザの利用履歴またはレーティングに基づくユーザの利用安全性に関連するポイント、また、ユーザの利用履歴情報（例えば、直近や過去の撮影場所、撮影日時等）を情報として格納することができる。
【００３７】
図７は、本発明による第１の実施の形態による撮影管理テーブルの例である。撮影管理テーブル７００は、上述の通り、エリアオーナから受信されたエリア関連情報に含まれる各エリア別の撮影予約に関する情報等を格納する。より具体的には、例えば、エリア名（例えば、撮影スポット、ランドマークとなる建物等の名称等）、そのエリアを撮影する権限を取得したユーザのユーザＩＤ（ユーザを一意に識別する番号等）、撮影のための予約時間、撮影プランの種別（例えば、有償プラン（チケット1枚当たりの金額５０００円）、または、無償プラン（引き換えとして撮影した画像データをエリアオーナに提供するプラン））に関する情報を格納することができる。
【００３８】
図８は、本発明による第１の実施の形態によるコンテンツ管理テーブルの例である。コンテンツ管理テーブル８００は、ユーザ端末３によって撮影され、送信された画像データに関する情報、及び画像データにアクセスする権限に関する情報等を格納する。より具体的には、コンテンツ記憶部３５に格納された画像データを一意に識別するコンテンツＩＤ、画像データにアクセスする権限を有するユーザ及びエリアオーナの各々のＩＤを格納する。ここで格納されるユーザＩＤは、通常、コンテンツＩＤによって識別される画像データを撮影し、送信したユーザのＩＤである。エリアオーナＩＤについては、詳細は後述するが、エリアオーナが、１）ユーザに対し有償でチケットを販売した場合には、エリアオーナの画像データへのアクセス権は発生しないが、２）ユーザに対し無償でチケットを販売した場合には、エリアオーナの画像データへのアクセス権が発生することを前提として、画像データと関連して、エリアオーナのＩＤが格納される。また、画像データを第三者が提供するサービス（例えば、ＹｏｕＴｕｂｅ（登録商標）やＶｉｍｅｏ（登録商標））にアップロードした場合は、そのリンク情報（ＵＲＬ（Ｕｎｉｆｏｒｍ  Ｒｅｓｏｕｒｃｅ  Ｌｏｃａｔｏｒ））についても管理する。
【００３９】
図９は、本発明による第１の実施の形態によるユーザとエリアオーナのマッチング処理の例を示したフローチャートである。本処理は、例えば、サービス提供サーバ１のメモリ１１に格納されたプログラムを制御部１０において実行することで実現される。
【００４０】
まず、サービス提供サーバ１の制御部１０のエリア関連情報管理部２１は、エリア関連情報テーブル５００を参照し、送受信部１３を介して、エリア関連情報をユーザ端末３に送信する（Ｓ１０１）。ユーザ端末３は、本アプリケーションを介して、エリア関連情報を受信し、図１０（ａ）に示すように、複数の空撮可能なエリアをユーザインターフェースとして表示する。ユーザは、図１０（ａ）に示す、検索ウィンドウに、任意のキーワードを入力することでエリアを検索することもできるし、表示される地図をスクロールしたり、アイコンを選択したりすることでブラウジングを行い、所望のエリアを探すことができる。そして、図１０（ｂ）に示すように、ユーザは、所望のエリアを選択することができる。本例では、ユーザは、「冠崎公園」をエリアとして探し出し、選択している。このように、ユーザが空撮を希望する、所望のエリアを探すために有用な情報として、エリア関連情報として、エリアオーナは、予め、エリアに関連する名称のほか、参考写真や詳細情報（例えば、エリアの紹介文）等をエリア関連情報として提供することができる。ユーザは、空撮を希望するエリアを選択するとともに、空撮を希望する日時を指定する。
【００４１】
次に、サービス提供サーバ１の制御部１０の撮影管理部２３は、送受信部１３を介して、ユーザ端末３が選択したエリアに関する情報及び希望日時に関する情報を受信する（Ｓ１０２）。撮影管理部２３は、撮影管理テーブル７００を参照し、受信した選択エリア名、ユーザＩＤ及び予約日時（本ステップにおいては希望日時）に関する情報を更新する。
【００４２】
次に、サービス提供サーバ１の制御部１０の撮影管理部２３は、送受信部１３を介して、ユーザ端末３から撮影要求をエリアオーナ端末２に送信する（Ｓ１０３）。送信される撮影要求の内容としては、例えば、撮影を希望するエリア名、撮影希望日時とともに、ユーザに関連する情報、例えば、ユーザ名（ドローンパイロット名）、連絡先（例えば、メールアドレス）、ドローン機種名、保険加入の有無及び保険種別等について送信することができる。特に、ドローンによる空撮に際しては、安全性への配慮が必要となり、ドローンパイロットによる操縦技能や、万一事故が起きた際に備えてドローンパイロットが対人、対物保険に加入しているか否かが非常に重要となる。したがって、上述のように、ユーザに関連する情報をエリアオーナに提供することは、撮影要求を許可するか否かに際して、重要であり、有用な情報となる。その他、ユーザの空撮履歴を提供することで、エリアオーナが、撮影を要求するユーザの経験値を知ることができる。
【００４３】
次に、サービス提供サーバの制御部１０の撮影管理部２３は、送受信部１３を介して、エリアオーナ端末２から撮影の許否情報を受信する（Ｓ１０４）。図１１に示すように、エリアオーナは、自身のエリアオーナ端末２に、本アプリケーションを介して、ユーザによる撮影申込内容を表示させ、内容を見ながら、本撮影要求に対し、許可するか、不許可とするかを選択する。選択内容は、本アプリケーションを介して、サービス提供サーバ１に送信される。なお、許可、不許可とするかを判断するかに際して、他のユーザからの撮影希望日時とのコンフリクトを、事前にサービス提供サーバ１が確認するか、または、エリアオーナ端末１の本アプリケーションにおいてエリアオーナが確認することもできる。または、ユーザが、ユーザ端末３の本アプリケーションにおいて、撮影を希望する日時に先約があるか否かを事前に確認することもできる。また、許可、不許可について、一定期間エリアオーナが選択しなかった場合は、自動で「許可」または「不許可」とする設定を行うこともできる。設定する権限はエリアオーナ側及びシステム管理側で持つことが好ましい。
【００４４】
続いて、サービス提供サーバ１の制御部１０の撮影管理部２３は、サービス提供サーバ１において受信された許否情報の内容を確認する（Ｓ１０５）。許否情報の内容が撮影許可を示すものである場合、撮影許可の旨の通知がユーザ端末３に送信される（Ｓ１０６）。また、不許可を示すものである場合は、その旨の通知がユーザ端末３に送信され、処理は元に戻る。
【００４５】
また、サービス提供サーバ１の制御部１０の撮影管理部２３は、改めて撮影管理テーブル７００を参照し、希望日時としていた予約日時に関する情報を確定する。
【００４６】
以上のように、本実施の形態によれば、撮影を希望するユーザと、エリアオーナとを効率的にマッチングさせるプラットフォームを提供することができ、これによって、ユーザは、無人飛行機を利用した撮影に際して、撮影を希望するエリアを所有するエリアオーナに容易にコンタクトすることができ、また、撮影許可を得ることができる。
【００４７】
以下、本発明の第２の実施の形態によるサービス提供システムについて、図面を参照しながら説明する。本実施の形態において説明されるサービス提供サーバ１の基本機能構成は、特に言及されない限り、第１の実施の形態において説明されたものと同等である。第１の実施の形態においては、主に撮影を希望するユーザとエリアオーナとをマッチングさせるプラットフォームを提供することについて言及したが、本実施の形態において、更に撮影チケットという概念を技術的に実現することで、本プラットフォームを利用して、ユーザ及びエリアオーナ双方がメリットを享受できる。
【００４８】
図１２は、本発明による第２の実施の形態によるチケット購入処理の例を示したフローチャート図である。まず、サービス提供サーバ１は、第１の実施の形態において説明したように、撮影許可通知をユーザ端末３に送信する（Ｓ２０１）。
【００４９】
次に、サービス提供サーバ１の制御部１０の撮影管理部２３は、ユーザ端末３に対してチケット販売処理を実行する（Ｓ２０２）。ここで、チケットについて説明する。チケットは、ユーザの、所定のエリアについて、無人航空機を利用した撮影要求に付随する撮影権と引き換えに購入対象となるものである。チケットの種類として、上述の通り、例えば、有償プランに基づくチケット（例えば、チケット1枚当たりの金額５，０００円から２０，０００円）と無償プランに基づくチケットが挙げられる。エリアオーナは、サービス提供者と、基本契約（有償によるチケット販売契約）及び、追加オプションとして、無償チケット契約を締結することができる。前者の有償チケット販売契約によれば、例えば、エリアオーナがユーザに対して撮影許可を行った場合に、有償チケットを販売し、その販売の対価の一定の割合をエリアオーナに還元することができる。また、追加オプションの無償チケット契約によれば、エリアオーナは、例えば、定められた期間に有効な有償チケットを一定枚数サービス提供者から購入し、購入したチケットをユーザに対して無償で提供することができる。ユーザは、無償でチケットを購入することができる引き換えとして撮影した画像データをエリアオーナに提供する。例えば、エリアオーナは、有効期間が3か月の1枚５，０００円相当のチケットを６０枚分、サービス提供者から購入し、ユーザに対して無償で提供する。ユーザは、そのエリアオーナが所有するエリアを無償チケットと引き換えに撮影権を取得することはできるが、その代わりに、自身が撮影したコンテンツ（例えば、画像データ）をエリアオーナに提供する必要がある。また、サービス提供者は、ユーザが有償チケットまたは無償チケットをキャンセルするよう、サービス設計することもできる。この場合、有償チケットについては一定のキャンセル料を課しつつ払い戻しすることができ、また、無償チケットについては、エリアオーナに、そのキャンセルされた無償チケットを再度提供する権利を戻すこともできる。また、天候不順によるキャンセルがなされることも想定されるので、それを想定した料金設計や月額課金モデルを設計することもできる。
【００５０】
チケット販売に際して、撮影管理部２３は、対象エリアが有料チケットプランに基づくチケット販売の対象となるか、または、無償チケットプランに基づくチケット提供の対象となるかと判断する（Ｓ２０３）。
【００５１】
Ｓ２０３の判断が有償チケットである場合、チケット販売処理に進む（Ｓ２０４）。サービス提供サーバ１は、ユーザ端末３に対し、有償チケットを販売する。撮影管理部２３は、チケット販売に際し、そのエリアに対して設定されたチケットの金額を確認することができる。エリアオーナは、対象エリアのチケットの金額を、例えば、５，０００円から２０，０００円の範囲で、５，０００円刻みで任意に決定することもできる。または、エリアオーナは、チケットの金額そのものを任意に決めることもできる。または、例えば、サービス提供者が、サービス提供サーバ１に蓄積された撮影要求の数を参照して、そのエリアの人気度を自動的に算出し、その人気度に応じてチケットの販売額を自動調整することもできる。
【００５２】
チケット販売の処理に際しては、サービス提供サーバ１は、他の決済処理用のサーバと連携することができる。販売に際して、ユーザ端末３には、本アプリケーションを介してチケット購入画面が表示され、ユーザは、金額を確認し、必要に応じてチケットの枚数等を指定して、購入の確定処理を行う。購入要求を受信して、サービス提供サーバ１の制御部２３の撮影管理部２３は、決済処理を実行する（Ｓ２０５）。
【００５３】
チケット購入の決済が実行されると、サービス提供サーバ１の制御部１０の撮影管理部２３は、ユーザ端末３に対して撮影権を付与する（Ｓ２０６）。より具体的には、撮影管理部２３は、撮影管理テーブル７００を参照し、対象エリア及び対象ユーザに関連する購入プランの項目を更新することで、ユーザの撮影権付与を管理することができる。例えば、図７において、「猪苗代湖」というエリアの撮影に関連して、ユーザＩＤ「２０００１」で識別されるユーザが、有償チケットを購入した場合に、「プラン」の項目に、有償チケットに対応する「Ａプラン」を示す「Ａ」を入力するフラグ処理を行うことで、ユーザの撮影権が付与された旨管理することができる。
【００５４】
Ｓ２０３の判断が無償チケットである場合、サービス提供サーバ１は、ユーザ端末３に対し、無償チケットを提供する（Ｓ２０７）。無償チケットを提供した場合においても、サービス提供サーバ１は、エリアオーナがユーザに対してチケットを提供した枚数を確認し、ＤＢ等で管理されている無償チケットの残枚数を更新する処理を行うことができる。
【００５５】
無償チケットの提供が実行されると、サービス提供サーバ１の制御部１０の撮影管理部２３は、ユーザ端末３に対して撮影権を付与する（Ｓ２０８）。より具体的には、撮影管理部２３は、撮影管理テーブル７００を参照し、対象エリア及び対象ユーザに関連する購入プランの項目を更新することで、ユーザの撮影権付与を管理することができる。例えば、図７において、「猪苗代湖」というエリアの撮影に関連して、ユーザＩＤ「２０００１」で識別されるユーザが、無償チケットの提供を受けた場合に、「プラン」の項目に、無償チケットに対応する「Ｂプラン」を示す「Ｂ」を入力するフラグ処理を行うことで、ユーザの撮影権が付与された旨管理することができる。
【００５６】
以上、本実施の形態によれば、エリアオーナは、チケット販売を通じて、エリアの撮影権を提供する対価を得ることができると同時に、ユーザは撮影権を得ることができる。また、無償チケットという形態により、ユーザは無償で撮影権を得ることができる一方で、エリアオーナにとっては集客効果を利用して自身が保有するエリアを広く周知することができる。
【００５７】
なお、本実施の形態において、有償チケット及び無償チケットを撮影権の対価とすることが本質であり、チケット購入や決済のタイミングは上述の形態に限定されない。例えば、ユーザはチケットを事前購入することもできるし、サービス提供サーバ１が、ユーザが対象エリアにおいて撮影を実際に行ったことを、無人航空機の位置情報を（ＧＰＳをトラッキングすることにより）を取得することで確認し、確認したことを契機として自動的にチケット購入及び決済することもできる。
【００５８】
以下、本発明の第３の実施の形態によるサービス提供システムについて、図面を参照しながら説明する。本実施の形態において説明されるサービス提供サーバ１の基本機能構成は、特に言及されない限り、第１及び第２の実施の形態において説明されたものと同等である。第２の実施の形態においては、撮影チケットという概念を技術的に実現することで、本プラットフォームを利用して、ユーザ及びエリアオーナ双方がメリットを享受できる旨言及したが、本実施の形態においては、さらに、無償チケットと引き換えにエリアオーナが更なるメリットを享受することができる点を特徴としている。
【００５９】
本発明による第３の実施の形態によるコンテンツアクセス付与処理の例を示したフローチャート図である。
【００６０】
まず、撮影権を取得したユーザが、対象エリアにおいて実際に空撮を行った結果、サービス提供サーバ１の制御部１０のコンテンツ管理部２４は、送受信部１３を介して、無人航空機またはユーザ端末３から空撮された画像データを受信する（Ｓ３０１）。
【００６１】
続いて、コンテンツ管理部２４は、ストレージ１２のコンテンツ記憶部３５に、受信した画像データを記憶する（Ｓ３０２）。また、コンテンツ管理部２４は、コンテンツ管理テーブル８００を参照し、受信した画像データに対応するコンテンツＩＤとコンテンツオーナであるユーザ（画像データの送信元となるユーザ）に対応するユーザＩＤを入力することでコンテンツを管理する。
【００６２】
ここで、コンテンツ管理部２４は、コンテンツオーナであるユーザが、無償チケットを通じて撮影権を取得したユーザであるか否かを確認する（Ｓ３０３）。例えば、上述の撮影管理テーブル７００において、対象エリア及び対象ユーザに関連して、無償チケットを示す「Ｂ」というフラグが立っているか否かを確認することで本確認を行うことが可能である。
【００６３】
Ｓ３０３の確認がＹＥＳであった場合には、コンテンツ管理部２４は、受信したコンテンツの撮影が行われた対象エリアのエリアオーナに対して、そのコンテンツに対するアクセス権を付与する（Ｓ３０４）。例えば、コンテンツ管理部２４は、コンテンツ管理部８００を参照し、受信した画像データに対応するコンテンツＩＤ（例えば、「５０００１」）に関連して、アクセス権を付与したことを示すように、オーナＩＤ（例えば、「１０００１」）を入力することで更新を行うことで、アクセス付与処理を実行することができる。これにより、エリア「猪苗代湖」を無償チケットにより撮影権を取得したユーザ（ユーザＩＤ「２０００２」）が空撮した画像（コンテンツＩＤ「５０００１」）について、エリアオーナ（オーナＩＤ「１０００１」）がアクセス可能となり、そのエリアオーナは画像を自由に閲覧、ダウンロード及び利用することが可能となる。必要に応じ、サービス提供サーバは、エリアオーナのアクセス権限に段階を設けることもできる。例えば、画像を自由に閲覧できるが、ダウンロードは出来ない権限や、閲覧及びダウンロードを可能としても利用することはできない権限等を付与することもできる。また、画像データを、サービス提供者とは異なる第三者の動画配信サイトやクラウドサービスのＤＢ（データベース）に格納する際は、その動画配信サイト等へのリンク（ＵＲＬ）をエリアオーナに提供することもできる。
【００６４】
以上、本実施の形態によれば、エリアオーナは無償チケットの提供と引き換えに、集客効果を期待することができ、さらに、ユーザが撮影した画像の提供を受けることができるので、画像の効果的な活用を通じて、そのエリアのプロモーションに繋げることができる。
【００６５】
以下、本発明の第４の実施の形態によるサービス提供システムについて、図面を参照しながら説明する。本実施の形態において説明されるサービス提供サーバ１の基本機能構成は、特に言及されない限り、第１乃至第３の実施の形態において説明されたものと同等である。第４の実施の形態は、ユーザの撮影当日に実行される、ユーザとエリアオーナとの間の確認処理を含むものである。図１４は、本発明による第４の実施の形態による撮影に際する確認処理の例を示したフローチャート図である。なお、下記ウェブページについて、ウェブページに含まれる項目は、画面表示上や設計上の理由等により、複数ページに跨って表示されたり、スクロールダウンして表示されたり、することもでき、下記形態に限定されない。
【００６６】
まず、サービス提供サーバ１は、撮影当日用のウェブページを生成し、ユーザ端末３に対して提供する（Ｓ４０１）。例えば、サービス提供サーバ１は、撮影当日になると（または、撮影当日の所定の時刻或いは撮影予約日時より所定の時間前）に、撮影管理テーブル７００等に基づいて、撮影当日用ページを生成する。当日用ページの内容としては、撮影エリア情報、エリアオーナ情報、エリアオーナ連絡先、緊急時連絡先等が含まれる。また、当日用ページには、ユーザが撮影を開始するための、チェックインボタンが含まれる。サービス提供サーバ１が、当日用ページを生成し、これにユーザが、ユーザ端末に内蔵されたブラウザ、または、ユーザ端末にダウンロードされたアプリケーション等を通じてアクセスすることで、ユーザ端末に送信される。
【００６７】
次に、ユーザは、当日用ページを確認し、撮影を始めるためにチェックインボタンを選択すると、サービス提供サーバ１は、選択したことを受信する（Ｓ４０２）。チェックインボタンを選択すると、サービス提供サーバ１は、当該エリアにおける禁止事項やローカルルール等を記載し、ユーザが空撮を開始することを確定するためのページを、ユーザ端末に送信する（Ｓ４０３）。
【００６８】
ユーザは、確認ページに記載された内容を確認したことを意思表示するため、確認ページに含まれるチェックボックスをチェックし、「空撮を開始」ボタン等の空撮を開始することを確定する指示を行うと、サービス提供サーバ１は、その旨を受信する（Ｓ４０４）。この時点で、ユーザが保険に加入する手続を行っている場合は、当該保険の適用対象となる。
【００６９】
ユーザが、確認ページにおいてチェックボックスを介して注意事項を確認した旨の意思表示をすると、サービス提供サーバ１は、エリアオーナ端末２に対し、ユーザが撮影を開始した旨を通知する（Ｓ４０５）。ここで、通知方法として、例えば、エリアオーナが登録しているメールアドレスであってもよいし、エリアオーナ端末２の表示画面にプッシュ通知を行ってもよい。
【００７０】
そして、ユーザが、滞りなく撮影を行い、完了すると、所定のページに含まれるチェックアウトボタンを選択する。サービス提供サーバ１は、チェックアウトの旨を受信し（Ｓ４０６）、また、その旨がエリアオーナ端末２に、上記例示される方法によって、通知される。以上の処理により、撮影を行うユーザとエリアオーナは、サービス提供サーバが提供するサービスを通じて、撮影当日においても撮影に関連してスムーズなやり取りを行うことができる。
【００７１】
なお、撮影中に何らかのトラブルが発生した場合、ユーザは、エリアオーナの緊急連絡先に速やかに連絡を行い、緊急マニュアルに沿った対応を行う。撮影は、トラブルが収束されたことをもって終了となる。また、上述のように、保険が適用されるトラブルに関しては、所定の保険申請の処理に移行する。
【００７２】
また、後のユーザパイロットの実績証明として利用できるよう、ユーザの、撮影当日ページに関連した操作履歴やスナップショットデータを活動ログとして、ストレージ１２のユーザ情報管理テーブル３２や任意の格納領域に格納しておくこともできる。この活動ログに関する情報は、それ自体として価値を有するため、例えば、1年以上撮影当日ページの操作履歴等の活動ログを保存することを有償オプションとすることができる。また、活動ログとしては、無人航空機の機体を通じて収集された操作・飛行履歴を含むこともでき、これにより、ユーザパイロットの活動記録を、無人航空機の操縦としての観点と安全性としての観点とから多面的に行うことができる。そして、一定の活動記録を有するユーザに対しては、エリアオーナの設定次第で、自動的に撮影許可が下りるような方法を提供することもできる。エリアオーナが、競合する時間帯を含めて複数の撮影許可の申請を受領した場合、このような多くの活動記録を有するユーザに対して優先的に許可ができるよう、そのようなユーザを自動的に許可したり、活動記録に基づいて優先的に許可されるべきユーザをハイライトしたり、上から順に表示したりすることができる。
【００７３】
上述した実施の形態は、本発明の理解を容易にするための例示に過ぎず、本発明を限定して解釈するためのものではない。本発明は、その趣旨を逸脱することなく、変更、改良することができると共に、本発明にはその均等物が含まれることは言うまでもない。
【符号の説明】
【００７４】
１        サービス提供サーバ
２        エリアオーナ端末
３        ユーザ端末
【図１】
2020038609.tif 000003
【図２】
2020038609.tif 000004
【図３】
2020038609.tif 000005
【図４】
2020038609.tif 000006
【図５】
2020038609.tif 000007
【図６】
2020038609.tif 000008
【図７】
2020038609.tif 000009
【図８】
2020038609.tif 000010
【図９】
2020038609.tif 000011
【図１０】
2020038609.tif 000012
【図１１】
2020038609.tif 000013
【図１２】
2020038609.tif 000014
【図１３】
2020038609.tif 000015
【図１４】
2020038609.tif 000016